【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
複数のシーケンス繰返しを備える第１の同期信号を受信することと、
複数の重複累積間隔を識別することと、
前記複数のうちの各重複累積間隔について、前記第１の同期信号のための累積的相関を実行することと、ここにおいて、前記累積的相関の各々が、前記複数のシーケンス繰返しに関連する複数のコヒーレント相関を備え、前記複数のコヒーレント相関が、連続する非重複相関間隔のセットに対応する、
前記複数のシーケンス繰返しに少なくとも部分的に基づいて、および前記累積的相関に少なくとも部分的に基づいて、タイミング構造境界のための候補のセットを識別することと、
第２の同期信号に少なくとも部分的に基づいて、候補の前記セットから前記タイミング構造境界を決定することとを備える、ワイヤレス通信の方法。
【請求項２】
前記累積的相関に少なくとも部分的に基づいて位相オフセットを決定することをさらに備え、ここにおいて、候補の前記セットを識別することが、
前記位相オフセットだけ各重複累積間隔の境界をシフトすることを備える、請求項１に記載の方法。
【請求項３】
候補の前記セットが、前記累積的相関の各々のための大きさに少なくとも部分的に基づいて決定される、請求項１に記載の方法。
【請求項４】
候補の前記セットの各タイミング構造境界について、前記第２の同期信号のための２次相関を実行することをさらに備え、ここにおいて、前記タイミング構造境界が、前記２次相関に少なくとも部分的に基づいて決定される、請求項１に記載の方法。
【請求項５】
前記複数のシーケンス繰返しのうちの各シーケンス繰返しが、同じ擬似ランダム雑音（ＰＮ）シーケンスを備える、請求項１に記載の方法。
【請求項６】
前記第１の同期信号が周期信号または１次同期信号（ＰＳＳ）を備える、請求項１に記載の方法。
【請求項７】
前記第２の同期信号が、
非周期信号、または、
２次同期信号（ＳＳＳ）の少なくとも一部分、または、
少なくとも１次同期信号（ＰＳＳ）、
を備える、請求項１に記載の方法。
【請求項８】
前記第１の同期信号に少なくとも部分的に基づいてセルグループを識別することと、
前記セルグループと前記第２の同期信号とに少なくとも部分的に基づいてセル識別情報（ＩＤ）を識別することとをさらに備える、請求項１に記載の方法。
【請求項９】
前記第１の同期信号が、周期波形のセットから選択された周期波形を備え、ここにおいて、前記セルグループが、前記周期波形に少なくとも部分的に基づいて識別される、請求項８に記載の方法。
【請求項１０】
前記第２の同期信号が、非周期波形のセットから選択された非周期波形を備え、ここにおいて、前記セルＩＤが前記非周期波形に少なくとも部分的に基づく、請求項８に記載の方法。
【請求項１１】
前記第２の同期信号に少なくとも部分的に基づいてセル識別情報（ＩＤ）を識別することをさらに備え、ここにおいて、前記第１の同期信号が単一周波数ネットワーク信号を備える、請求項１に記載の方法。
【請求項１２】
前記第２の同期信号が、セルＩＤに対応する非周期波形を備え、非周期波形のセットから選択される、請求項１１に記載の方法。
【請求項１３】
第３の同期信号を受信することと、
前記第３の同期信号に少なくとも部分的に基づいてセル識別情報（ＩＤ）を決定することとをさらに備える、請求項１に記載の方法。
【請求項１４】
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、請求項１３に記載の方法。
【請求項１５】
複数のシーケンス繰返しを備える第１の同期信号を受信するための手段と、
複数の重複累積間隔を識別するための手段と、
前記複数のうちの各重複累積間隔について、前記第１の同期信号のための累積的相関を実行するための手段と、ここにおいて、前記累積的相関の各々が、前記複数のシーケンス繰返しに関連する複数のコヒーレント相関を備え、前記複数のコヒーレント相関が、連続する非重複相関間隔のセットに対応する、
前記複数のシーケンス繰返しに少なくとも部分的に基づいて、および前記累積的相関に少なくとも部分的に基づいて、タイミング構造境界のための候補のセットを識別するための手段と、
第２の同期信号に少なくとも部分的に基づいて、候補の前記セットから前記タイミング構造境界を決定するための手段とを備える、ワイヤレス通信のための装置。
【請求項１６】
ワイヤレス通信のためのコードを記憶するコンピュータ可読媒体であって、前記コードが、ワイヤレス通信デバイスに請求項１〜１４のうちのいずれか一項の方法を実行させるために実行可能な命令を備える、コンピュータ可読媒体。
【手続補正２】
【補正対象書類名】明細書
【補正対象項目名】０１３７
【補正方法】変更
【補正の内容】
【０１３７】
[0147]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することとを備える、ワイヤレス通信の方法。
［Ｃ２］
複数の重複累積間隔を識別することと、
前記複数のうちの各重複累積間隔について、前記第１の同期信号のための累積的相関を実行することと、ここにおいて、候補の前記セットが前記累積的相関に少なくとも部分的に基づく、をさらに備える、Ｃ１に記載の方法。
［Ｃ３］
前記累積的相関の各々が、前記複数のシーケンス繰返しに関連する複数のコヒーレント相関を備える、Ｃ２に記載の方法。
［Ｃ４］
前記複数のコヒーレント相関が、連続する非重複相関間隔のセットに対応する、Ｃ３に記載の方法。
［Ｃ５］
前記累積的相関に少なくとも部分的に基づいて位相オフセットを決定することをさらに備え、ここにおいて、候補の前記セットを識別することが、
前記位相オフセットだけ各重複累積間隔の境界をシフトすることを備える、Ｃ２に記載の方法。
［Ｃ６］
候補の前記セットが、前記累積的相関の各々のための大きさに少なくとも部分的に基づいて決定される、Ｃ２に記載の方法。
［Ｃ７］
候補の前記セットの各タイミング構造境界について、前記第２の同期信号のための２次相関を実行することをさらに備え、ここにおいて、前記タイミング構造境界が、前記２次相関に少なくとも部分的に基づいて決定される、Ｃ１に記載の方法。
［Ｃ８］
前記複数のシーケンス繰返しのうちの各シーケンス繰返しが、同じ擬似ランダム雑音（ＰＮ）シーケンスを備える、Ｃ１に記載の方法。
［Ｃ９］
前記第１の同期信号が周期信号を備える、Ｃ１に記載の方法。
［Ｃ１０］
前記第１の同期信号が１次同期信号（ＰＳＳ）を備える、Ｃ１に記載の方法。
［Ｃ１１］
前記第２の同期信号が非周期信号を備える、Ｃ１に記載の方法。
［Ｃ１２］
前記第２の同期信号が２次同期信号（ＳＳＳ）の少なくとも一部分を備える、Ｃ１に記載の方法。
［Ｃ１３］
前記第２の同期信号が少なくとも１次同期信号（ＰＳＳ）を備える、Ｃ１に記載の方法。
［Ｃ１４］
前記第１の同期信号に少なくとも部分的に基づいてセルグループを識別することと、
前記セルグループと前記第２の同期信号とに少なくとも部分的に基づいてセル識別情報（ＩＤ）を識別することとをさらに備える、Ｃ１に記載の方法。
［Ｃ１５］
前記第１の同期信号が、周期波形のセットから選択された周期波形を備え、ここにおいて、前記セルグループが、前記周期波形に少なくとも部分的に基づいて識別される、Ｃ１４に記載の方法。
［Ｃ１６］
前記第２の同期信号が、非周期波形のセットから選択された非周期波形を備え、ここにおいて、前記セルＩＤが前記非周期波形に少なくとも部分的に基づく、Ｃ１４に記載の方法。
［Ｃ１７］
前記第２の同期信号に少なくとも部分的に基づいてセル識別情報（ＩＤ）を識別することをさらに備え、ここにおいて、前記第１の同期信号が単一周波数ネットワーク信号を備える、Ｃ１に記載の方法。
［Ｃ１８］
前記第２の同期信号が、セルＩＤに対応する非周期波形を備え、非周期波形のセットから選択される、Ｃ１７に記載の方法。
［Ｃ１９］
第３の同期信号を受信することと、
前記第３の同期信号に少なくとも部分的に基づいてセル識別情報（ＩＤ）を決定することとをさらに備える、Ｃ１に記載の方法。
［Ｃ２０］
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、Ｃ１９に記載の方法。
［Ｃ２１］
複数のシーケンス繰返しを備える第１の同期信号を送信することと、ここにおいて、前記第１の同期信号が周期波形を備える、
非周期波形を備える第２の同期信号を送信することとを備える、ワイヤレス通信の方法。
［Ｃ２２］
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、Ｃ２１に記載の方法。
［Ｃ２３］
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、Ｃ２１に記載の方法。
［Ｃ２４］
非周期波形を備える第３の同期信号を送信することをさらに備え、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、Ｃ２１に記載の方法。
［Ｃ２５］
複数のシーケンス繰返しを備える第１の同期信号を受信するための手段と、
前記複数のシーケンス繰返しに少なくとも部分的に基づいて、タイミング構造境界のための候補のセットを識別するための手段と、
第２の同期信号に少なくとも部分的に基づいて、候補の前記セットから前記タイミング構造境界を決定するための手段とを備える、ワイヤレス通信のための装置。
［Ｃ２６］
複数の重複累積間隔を識別するための手段と、
前記複数のうちの各重複累積間隔について、前記第１の同期信号のための累積的相関を実行するための手段と、ここにおいて、候補の前記セットが前記累積的相関に少なくとも部分的に基づく、をさらに備える、Ｃ２５に記載の装置。
［Ｃ２７］
前記累積的相関の各々が、前記複数のシーケンス繰返しに関連する複数のコヒーレント相関を備える、Ｃ２６に記載の装置。
［Ｃ２８］
前記複数のコヒーレント相関が、連続する非重複相関間隔のセットに対応する、Ｃ２７に記載の装置。
［Ｃ２９］
前記累積的相関に少なくとも部分的に基づいて位相オフセットを決定するための手段をさらに備え、ここにおいて、候補の前記セットを識別するための前記手段が、
前記位相オフセットだけ各重複累積間隔の境界をシフトするための手段を備える、Ｃ２６に記載の装置。
［Ｃ３０］
候補の前記セットを識別するための前記手段が、前記累積的相関の各々のための大きさ上で決定するように動作可能である、Ｃ２６に記載の装置。
［Ｃ３１］
候補の前記セットの各タイミング構造境界について、前記第２の同期信号のための２次相関を実行するための手段をさらに備え、ここにおいて、前記タイミング構造境界を決定するための前記手段が、前記２次相関に少なくとも部分的に基づいて前記タイミング構造境界を決定するように動作可能である、Ｃ２５に記載の装置。
［Ｃ３２］
前記複数のシーケンス繰返しのうちの各シーケンス繰返しが、同じ擬似ランダム雑音（ＰＮ）シーケンスを備える、Ｃ２５に記載の装置。
［Ｃ３３］
前記第１の同期信号が周期信号を備える、Ｃ２５に記載の装置。
［Ｃ３４］
前記第１の同期信号が１次同期信号（ＰＳＳ）を備える、Ｃ２５に記載の装置。
［Ｃ３５］
前記第２の同期信号が非周期信号を備える、Ｃ２５に記載の装置。
［Ｃ３６］
前記第２の同期信号が２次同期信号（ＳＳＳ）の少なくとも一部分を備える、Ｃ２５に記載の装置。
［Ｃ３７］
前記第２の同期信号が１次同期信号（ＰＳＳ）の一部分を備える、Ｃ２５に記載の装置。
［Ｃ３８］
前記第１の同期信号に少なくとも部分的に基づいてセルグループを識別するための手段と、
前記セルグループと前記第２の同期信号とに少なくとも部分的に基づいてセル識別情報（ＩＤ）を識別するための手段とをさらに備える、Ｃ２５に記載の装置。
［Ｃ３９］
前記第１の同期信号が、周期波形のセットから選択された周期波形を備え、ここにおいて、前記セルグループを識別するための前記手段が、前記周期波形に少なくとも部分的に基づいて前記セルグループを識別するように動作可能である、Ｃ３８に記載の装置。
［Ｃ４０］
前記第２の同期信号が、非周期波形のセットから選択された非周期波形を備え、ここにおいて、前記セルＩＤを識別するための前記手段が、前記非周期波形に少なくとも部分的に基づいて前記セルＩＤを識別するように動作可能である、Ｃ３８に記載の装置。
［Ｃ４１］
前記第２の同期信号に少なくとも部分的に基づいてセル識別情報（ＩＤ）を識別するための手段をさらに備え、ここにおいて、前記第１の同期信号が単一周波数ネットワーク信号を備える、Ｃ２５に記載の装置。
［Ｃ４２］
前記第２の同期信号が、セルＩＤに対応する非周期波形を備え、非周期波形のセットから選択される、Ｃ４１に記載の装置。
［Ｃ４３］
第３の同期信号を受信するための手段と、
前記第３の同期信号に少なくとも部分的に基づいてセル識別情報（ＩＤ）を決定するための手段とをさらに備える、Ｃ２５に記載の装置。
［Ｃ４４］
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、Ｃ４３に記載の装置。
［Ｃ４５］
複数のシーケンス繰返しを備える第１の同期信号を送信するための手段と、ここにおいて、前記第１の同期信号が周期波形を備える、
非周期波形を備える第２の同期信号を送信するための手段とを備える、ワイヤレス通信のための装置。
［Ｃ４６］
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、Ｃ４５に記載の装置。
［Ｃ４７］
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、Ｃ４５に記載の装置。
［Ｃ４８］
非周期波形を備える第３の同期信号を送信するための手段をさらに備え、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、Ｃ４５に記載の装置。
［Ｃ４９］
ワイヤレス通信のための装置であって、
プロセッサと、
前記プロセッサと電子通信しているメモリと、
前記メモリに記憶され、前記プロセッサによって実行されたとき、前記装置に、
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することと
を行わせるように動作可能な命令とを備える、装置。
［Ｃ５０］
前記命令は、前記装置に、
複数の重複累積間隔を識別することと、
前記複数のうちの各重複累積間隔について、前記第１の同期信号のための累積的相関を実行することと、ここにおいて、候補の前記セットが前記累積的相関に少なくとも部分的に基づく、を行わせるように動作可能である、Ｃ４９に記載の装置。
［Ｃ５１］
前記累積的相関の各々が、前記複数のシーケンス繰返しに関連する複数のコヒーレント相関を備える、Ｃ５０に記載の装置。
［Ｃ５２］
前記複数のコヒーレント相関が、連続する非重複相関間隔のセットに対応する、Ｃ５１に記載の装置。
［Ｃ５３］
前記命令が、前記装置に、
前記累積的相関に少なくとも部分的に基づいて位相オフセットを決定することと、
前記位相オフセットだけ各重複累積間隔の境界をシフトするによって候補の前記セットを識別することとを行わせるように動作可能である、Ｃ５０に記載の装置。
［Ｃ５４］
候補の前記セットが、前記累積的相関の各々のための大きさに少なくとも部分的に基づいて決定される、Ｃ５０に記載の装置。
［Ｃ５５］
前記命令が、前記装置に、
候補の前記セットの各タイミング構造境界について、前記第２の同期信号のための２次相関を実行することを行わせるように動作可能であり、ここにおいて、前記タイミング構造境界が、前記２次相関に少なくとも部分的に基づいて決定される、Ｃ４９に記載の装置。
［Ｃ５６］
前記複数のシーケンス繰返しのうちの各シーケンス繰返しが、同じ擬似ランダム雑音（ＰＮ）シーケンスを備える、Ｃ４９に記載の装置。
［Ｃ５７］
前記第１の同期信号が周期信号を備える、Ｃ４９に記載の装置。
［Ｃ５８］
前記第１の同期信号が１次同期信号（ＰＳＳ）を備える、Ｃ４９に記載の装置。
［Ｃ５９］
前記第２の同期信号が非周期信号を備える、Ｃ４９に記載の装置。
［Ｃ６０］
前記第２の同期信号が２次同期信号（ＳＳＳ）の少なくとも一部分を備える、Ｃ４９に記載の装置。
［Ｃ６１］
前記第２の同期信号が１次同期信号（ＰＳＳ）の一部分を備える、Ｃ４９に記載の装置。
［Ｃ６２］
前記命令が、前記装置に、
前記第１の同期信号に少なくとも部分的に基づいてセルグループを識別することと、
前記セルグループと前記第２の同期信号とに少なくとも部分的に基づいてセル識別情報（ＩＤ）を識別することとを行わせるように動作可能である、Ｃ４９に記載の装置。
［Ｃ６３］
前記第１の同期信号が、周期波形のセットから選択された周期波形を備え、ここにおいて、前記セルグループが、前記周期波形に少なくとも部分的に基づいて識別される、Ｃ６２に記載の装置。
［Ｃ６４］
前記第２の同期信号が、非周期波形のセットから選択された非周期波形を備え、ここにおいて、前記セルＩＤが前記非周期波形に少なくとも部分的に基づく、Ｃ６２に記載の装置。
［Ｃ６５］
前記命令が、前記装置に、
前記第２の同期信号に少なくとも部分的に基づいてセル識別情報（ＩＤ）を識別することを行わせるように動作可能であり、ここにおいて、前記第１の同期信号が単一周波数ネットワーク信号を備える、Ｃ４９に記載の装置。
［Ｃ６６］
前記第２の同期信号が、セルＩＤに対応する非周期波形を備え、非周期波形のセットから選択される、Ｃ６５に記載の装置。
［Ｃ６７］
前記命令が、前記装置に、
第３の同期信号を受信することと、
前記第３の同期信号に少なくとも部分的に基づいてセル識別情報（ＩＤ）を決定することとを行わせるように動作可能である、Ｃ４９に記載の装置。
［Ｃ６８］
前記第１の同期信号が単一周波数ネットワーク信号を備え、
前記第２の同期信号が、セルグループに対応する非周期波形を備え、非周期波形の第１のセットから選択され、
前記第３の同期信号が、セルＩＤに対応する非周期波形を備え、非周期波形の第２のセットから選択される、Ｃ６７に記載の装置。
［Ｃ６９］
ワイヤレス通信のための装置であって、
プロセッサと、
前記プロセッサと電子通信しているメモリと、
前記メモリに記憶され、前記プロセッサによって実行されたとき、前記装置に、
複数のシーケンス繰返しを備える第１の同期信号を送信することと、ここにおいて、前記第１の同期信号が周期波形を備える、
非周期波形を備える第２の同期信号を送信することと
を行わせるように動作可能な命令とを備える、装置。
［Ｃ７０］
前記第１の同期信号の前記周期波形が、セルグループに対応し、周期波形のセットから選択され、ここにおいて、前記第２の同期信号の前記非周期波形が、セル識別情報（ＩＤ）に対応し、非周期波形のセットから選択される、Ｃ６９に記載の装置。
［Ｃ７１］
前記第１の同期信号の前記周期波形が単一周波数ネットワーク信号を備え、ここにおいて、前記第２の同期信号の前記非周期波形が、セル識別情報（ＩＤ）に対応し、非周期波形のセットから選択される、Ｃ６９に記載の装置。
［Ｃ７２］
前記命令が、前記装置に、
非周期波形を備える第３の同期信号を送信することを行わせるように動作可能であり、ここにおいて、
前記第１の同期信号の前記周期波形が単一周波数ネットワーク信号を備え、
前記第２の同期信号の前記非周期波形が、セルグループに対応し、非周期波形の第１のセットから選択され、
前記第３の同期信号の前記非周期波形が、セル識別情報（ＩＤ）に対応し、非周期波形の第２のセットから選択される、Ｃ６９に記載の装置。
［Ｃ７３］
ワイヤレス通信のためのコードを記憶する非一時的コンピュータ可読媒体であって、前記コードが、
複数のシーケンス繰返しを備える第１の同期信号を受信することと、
前記複数のシーケンス繰返しに少なくとも部分的に基づいて、タイミング構造境界のための候補のセットを識別することと、
第２の同期信号に少なくとも部分的に基づいて、候補の前記セットから前記タイミング構造境界を決定することとを行うために実行可能な命令を備える、非一時的コンピュータ可読媒体。
［Ｃ７４］
ワイヤレス通信のためのコードを記憶する非一時的コンピュータ可読媒体であって、前記コードは、
複数のシーケンス繰返しを備える第１の同期信号を送信することと、ここにおいて、前記第１の同期信号が周期波形を備える、
非周期波形を備える第２の同期信号を送信することとを行うために実行可能な命令を備える、非一時的コンピュータ可読媒体。